(57)【要約】【課題】皮膚のツルツル感を改善し、肌を美しくするなど、顕著な美肌効果を有する美肌用具及び遠赤外線放射体を提供する。【解決手段】少なくとも表面に石英片岩を配したローラー１と、ローラー１を回転可能に支持する支持具２を備えた。７５〜８５重量％のＳｉＯ２、７〜１２重量％のＡｌ２Ｏ３、０．９〜１．５重量％のＦｅ２Ｏ３を含有する石英片岩の破砕粉にバインダを添加して釉薬を塗布し、焼結してローラー１を成形した。常温で大量のマイナスイオン及び高強度の遠赤外線を放出するローラーを肌に転がすことで、顕著な美肌効果を得ることができる。【選択図】  図３
2004173933.tif 000002
【特許請求の範囲】
【請求項１】
少なくとも表面に石英片岩を配したローラーと、前記ローラーを回転可能に支持する支持部を備えたことを特徴とする美肌用具。
【請求項２】
前記石英片岩は、７５〜８５重量％のＳｉＯ２、７〜１２重量％のＡｌ２Ｏ３、０．９〜１．５重量％のＦｅ２Ｏ３を含有することを特徴とする請求項１記載の美肌用具。
【請求項３】
前記ローラーは、石英片岩の破砕粉を焼結して成形したものであることを特徴とする請求項１又は２記載の美肌用具。
【請求項４】
前記ローラーは、石英片岩の破砕粉にバインダを添加し焼結して成形したものであることを特徴とする請求項１又は２記載の美肌用具。
【請求項５】
前記ローラーは、焼結の際に釉薬を塗布したものであることを特徴とする請求項３又は４記載の美肌用具。
【請求項６】
少なくとも表面に７５〜８５重量％のＳｉＯ２、７〜１２重量％のＡｌ２Ｏ３、０．９〜１．５重量％のＦｅ２Ｏ３を含有する石英片岩を配するとともに、この石英片岩の破砕粉にバインダを添加して釉薬を塗布し、焼結して成形したものであることを特徴とする遠赤外線放射体。
【発明の詳細な説明】
【０００１】
【発明の属する技術分野】
本発明は、美肌用具及び遠赤外線放射体に関し、特に、ローラーを備えた美肌用具に関する。
【０００２】
【従来の技術】
近年、マイナスイオンが健康増進や美容に効果があるということで脚光を浴び、マイナスイオンを利用した様々な健康、美容用具が開発されている。美容用具の中では、マイナスイオンを発するローラーを備えた美肌用具が知られており、例えば、フェライト磁石からなるローラーの表面にゲルマニウムを設けてゲルマニウムによる活性電子の放出を利用したもの（例えば、特許文献１、２）や、ローラーの表面にマイナスイオンを放出するトルマリンを設けたものなどが知られている。
【０００３】
そして、活性電子やマイナスイオンによって、生理作用が快調となり、自然治癒力が高まって細胞を活性化し、自律神経の働きを快調にし、さらに新陳代謝が活発になり、生命力が強くなるといわれている。また、肌にマイナスイオンを作用させると、染み、皺、弛みを除去する美肌効果があるといわれている。
【０００４】
しかしながら、従来から知られているゲルマニウム、トルマリンなどから発生するマイナスイオンの量は少量であり、顕著な美肌効果は現れ難いという問題があった。
【０００５】
【特許文献１】
実公平３−４７６６０号公報
【特許文献２】
特開平１１−２３５２８９号公報
【０００６】
【発明が解決しようとする課題】
本発明は、上記問題を解決し、皮膚のツルツル感を改善し、肌を美しくするなど、顕著な美肌効果を有する美肌用具及び遠赤外線放射体を提供することを目的とする。
【０００７】
【課題を解決するための手段】
本発明者らは、上記課題を解決すべく、種々検討を積み重ねた結果、石英片岩、特に、７５〜８５重量％のＳｉＯ２、７〜１２重量％のＡｌ２Ｏ３、０．９〜１．５重量％のＦｅ２Ｏ３を含有する石英片岩が、常温で大量のマイナスイオン及び高強度の遠赤外線を放出し、このマイナスイオンと遠赤外線の組み合わせが皮膚の汗線，毛根を広げ、血行を促進し、新陳代謝を促進，活性化する効果を有することを見出した。そして、本発明の美肌用具及び遠赤外線放射体を完成した。
【０００８】
本発明の請求項１記載の美肌用具は、少なくとも表面に石英片岩を配したローラーと、前記ローラーを回転可能に支持する支持部を備えたものである。常温で大量のマイナスイオン及び高強度の遠赤外線を放出する石英片岩を配したローラーを肌に転がすことで、顕著な美肌効果を得ることができる。また、ローラーを肌の角度に自由に合わせることができるので、効率良く遠赤外線とマイナスイオンによる美肌効果を得ることができる。
【０００９】
また、請求項２記載の美肌用具は、前記石英片岩は、７５〜８５重量％のＳｉＯ２、７〜１２重量％のＡｌ２Ｏ３、０．９〜１．５重量％のＦｅ２Ｏ３を含有する。特にこの組成の石英片岩は、常温で大量のマイナスイオン及び高強度の遠赤外線を放出し、顕著な美肌効果を得ることができる。
【００１０】
また、請求項３記載の美肌用具は、前記ローラーは、石英片岩の破砕粉を焼結して成形したものである。石英片岩の表面積を大きくすることができ、遠赤外線の放射率及びマイナスイオンの放出率を飛躍的に大きくすることができる。
【００１１】
また、請求項４記載の美肌用具は、前記ローラーは、石英片岩の破砕粉にバインダを添加し焼結して成形したものである。バインダが破砕粉を密着させる接着剤の役目を果たし、容易に加工することができる。
【００１２】
また、請求項５記載の美肌用具は、前記ローラーは、焼結の際に釉薬を塗布したものである。釉薬が成型した破砕粉の形状を丈夫にする役目を果たし、安定した品質が得られる。
【００１３】
さらに、請求項６記載の遠赤外線放射体は、少なくとも表面に７５〜８５重量％のＳｉＯ２、７〜１２重量％のＡｌ２Ｏ３、０．９〜１．５重量％のＦｅ２Ｏ３を含有する石英片岩を配するとともに、この石英片岩の破砕粉にバインダを添加して釉薬を塗布し、焼結して成形したものである。常温で大量のマイナスイオン及び高強度の遠赤外線を放出する遠赤外線放射体を提供することができる。
【００１４】
【発明の実施の形態】
以下、本発明の美肌用具の実施の形態について説明する。
【００１５】
本発明の美肌用具は、少なくとも表面に石英片岩を配した遠赤外線放射体たるローラーを支持部に回転可能に支持したものである。さらに詳しくは、このローラーは、７５〜８５重量％のＳｉＯ２、７〜１２重量％のＡｌ２Ｏ３、０．９〜１．５重量％のＦｅ２Ｏ３を含有する石英片岩を破砕した粉末にバインダを混ぜ合わせて成形し、その後、釉薬を塗布し、焼結炉内において温度１１５０〜１２５０℃で焼結したものである。
【００１６】
なお、上記ローラーに供する石英片岩の粉体粒度は、１０μｍ〜１００μｍ程度が望ましく、それより粗過ぎても細かすぎても、遠赤外線放射効果及びマイナスイオン効果が劣り、更に加工する際の成形性も劣るものとなる。また、添加するバインダとしては、特に限定はしないが、ポリビニルアルコールなどの樹脂系バインダが望ましい。また、塗布する釉薬は特に限定されず、長石，石灰石，珪石，陶石，カオリンなどを主原料とする陶磁器用釉薬を用いることができる。
【００１７】
【実施例】
以下、本発明を実施例により具体的に説明するが、本発明はこれらの実施例に限定されるものではない。
【００１８】
はじめに、本実施例に用いた石英片岩について説明する。
【００１９】
本実施例に用いた石英片岩について、重量分析法を用いた成分分析結果を表１に、鉱物構成を表２に示した。本実施例の石英片岩は、８０．６０重量％のＳｉＯ２、１０．３９重量％のＡｌ２Ｏ３、１．２６重量％のＦｅ２Ｏ３を含有し、その他の微量成分として、ＭｇＯ，ＣａＯ，Ｎａ２Ｏ，Ｋ２Ｏを含む。
【００２０】
【表１】
2004173933.tif 000003
【００２１】
【表２】
2004173933.tif 000004
【００２２】
また、表３に本実施例に用いた石英片岩のＰＩＥＸ分析（Ｐａｒｔｉｃｌｅ  Ｉｎｄｕｃｅｄ  Ｘ−ｒａｙ  Ｅｍｉｓｓｉｏｎ）による元素分析結果を示した。ＰＩＥＸ分析は、陽子、α粒子などの重荷電粒子を加速器で数ＭｅＶのエネルギーに加速して試料に照射し、その結果発生する元素固有のエネルギーをもつ特性Ｘ線の強度を測定して、元素の含有量を分析する方法である。この表３の結果より計算すると、本実施例に用いた石英片岩は７９．８重量％のＳｉＯ２、８．８重量％のＡｌ２Ｏ３、１．１重量％のＦｅ２Ｏ３を含有し、表１の分析結果とほぼ一致することが確認された。
【００２３】
【表３】
2004173933.tif 000005
【００２４】
また、この石英片岩について、ＦＴ−ＩＲ法を用いた一般的な方法により赤外線スペクトルを測定し、その結果に基づき算出した赤外線放射率を図１に示す。なお、図１において、測定は外気温３６．５℃で行い、同じ温度の黒体の全放射エネルギーを放射率１００％とした。この  図１は、縦軸に放射率（％）を、横軸に波長（μｍ）を示し、この結果から、本実施例に用いた石英片岩は、遠赤外線の放射率にばらつきがあるものの、４μｍ〜２４μｍにかけての幅広い波長で平均して９０％程度の高い遠赤外線を放射していることがわかった。なお、この比較的波長が短い４〜１６μｍの波長帯は、遠赤外線の中でも皮膚に対する刺激が少なく、人体に最も吸収され易く、生理的にも精神的にも効果があるといわれている。
【００２５】
次に、上記石英片岩について、常温で発生するマイナスイオンを測定した結果を図２に示す。なお、マイナスイオンの測定は、一般的なイオン数測定器を用い、試料を弱摩擦して１ｃｃの空気中に発生するマイナスイオンの個数を計測した。図２で明らかなように、弱摩擦を行い始めてから、３５秒付近で１２５０個のマイナスイオンを発生し、その後５５秒付近でピークとなり、最高値１２５００個のマイナスイオンを発生した。比較のために同様にトルマリン鉱石を弱摩擦したところ、１ｃｃの空気中に発生するマイナスイオンは、最大で１０個であった。
【００２６】
これらの結果から、本実施例に用いた石英片岩は、常温であっても十分な遠赤外線及びマイナスイオンを放射する性質を有していることが判明した。
【００２７】
次に、上記の石英片岩を用いた本発明の美肌用具の実施例について図３〜図６に基づいて説明する。
【００２８】
図３は、本発明の美肌用具の第１実施例を示す美肌用ローラーの外観図である。１は遠赤外線放射体たるローラーであり、このローラー１は、上記の石英片岩を粉体粒度が１０μｍ〜１００μｍ程度になるように破砕した粉末にポリビニルアルコールとグリセリンをエタノールに溶解して作成したバインダを混ぜ合わせ、プレスを用いて成形し、その後、一般的な陶磁器用釉薬を塗布し、焼結炉内において温度１１５０〜１２５０℃で焼結したものである。
【００２９】
このローラー１は、回転可能とするため円筒形状または円柱形状に成形されている。そして、ローラー１の中心に設けられた貫通穴１ａに支持部たる支持具２の一部である軸２ａが挿入され、ローラー１と支持具２の把持部２ｂとが直交状態で配置されている。そして、軸２ａ端部にはローラー１が軸２ａから脱落するのを防止するため止め輪３が装着されている。この軸２ａの径はローラー１の貫通穴１ａの径よりも幾分小さな寸法となっており、ローラー１は軸２ａを中心として回転自在に装着されている。
【００３０】
なお、図３の点線に示すように、支持具２を略Ｙ字形状とし、ローラー１を貫通穴１ａを有しない円柱形状に形成するとともに、ローラー１の両端部に凹部を設け、この凹部に支持具２の軸端を挿入するようにしてもよい。
【００３１】
なお、支持具２には、ステンレス鋼等の金属材料を用いることもできるが、ＡＢＳ等のプラスチック材料を用いると、より軽量で安価な美肌用ローラーを実現することができる。
【００３２】
また、ローラー１の外形寸法は、顔面に用いることを考慮すると、ローラー径１〜３ｃｍ、ローラー長３〜６ｃｍの範囲が好ましい。
【００３３】
次に、作用について説明する。本実施例ではローラー１と支持具２の把持部２ｂとが直交状態で配置されていることから、腕を上下運動させることでローラー１を上下方向に転がすことができる。この場合、頬上を上下方向に転がすのに好都合である。
【００３４】
実際に、図３に示すローラーを顔の頬に軽く接触させながら行程約２０ｍｍの間を往復して約５分間マッサージを行った。その結果、頬の皮膚の表面温度は、皮膚の水分率によらず、１℃以上上昇した。さらに、この操作を５分間隔で３回行った。これを朝、昼、晩の３回、２週間連続して行ったところ、肌のハリとツルツル感について顕著な回復が認められた。さらに、これを２〜３ヶ月連続して行ったところ、肌のしみ、そばかす等が明らかに減少したのが確認された。
【００３５】
次に、図４に基づいて、本発明の第２実施例の美肌用ローラーについて説明する。本実施例では、ローラー１と支持部たる支持具２の把持部２ｂとがインライン状態または平行状態で配置されている。遠赤外線放射体からなるローラー１と支持具２との軸支関係は前記第１実施例と同様である。すなわち、ローラー１は円筒形状または円柱形状のいずれであっても構わない。
【００３６】
次に、作用について説明する。本実施例ではローラー１と支持具２の把持部２ｂとが平行状態で配置されていることから、頬上を水平方向に転がすのに好都合である。
【００３７】
次に、図５に基づいて、本発明の第３実施例の美肌用ローラーについて説明する。遠赤外線放射体からなるローラー１は、一面が開口した箱状の支持具２に装着されている。ローラーの形状は前記第１実施例や第２実施例に用いたものと同様であり、円筒形状または円柱形状のいずれであっても構わない。
【００３８】
次に作用について説明する。本実施例のローラー１は、支持具２が箱形状をしていることから、手に持つ際の方向性に自由度がある。したがって、頬上を上下方向に転がすことも水平方向に転がすことも差異なく容易にできる。また、支持具２を含めて全体としてコンパクトな形状とすることができることから携帯に便利である。したがって、旅行に携行する場合においても嵩張ることがなく、バックの片隅に容易に収納することができる。
【００３９】
次に、図６に基づいて、本発明の第４実施例の美肌用ローラーについて説明する。本実施例では５個のローラーが装着されており、各ローラー１は、各軸４により軸支され、前記各軸４は両端において端末具であるスパイダ５に固着されている。また、このスパイダ５は支持具２の一端である軸２ａに回転自在に装着されている。なお、ローラー１自体の形状については、円筒形状または円柱形状のいずれであっても構わない。
【００４０】
次に、作用について説明する。本実施例の美肌用ローラーは複数個（５個）のローラー１を有することから、比較的広い皮膚を効率よく転がすことができる。したがって、例えば、脚の肌のように比較的大きな面積を有する肌の手入れに用いると好都合である。さらに、支持具２を往復運動させると、支持具２に装着された各ローラー１は自転とともに公転もすることになり、その結果、肌に対しても接触するローラー１が順次切り替わる度に肌への押圧に強弱が生じ、肌に対して適度なマッサージ効果を発揮することができる。したがって、遠赤外線およびマイナスイオン効果に加えて、機械的マッサージ効果も奏することで肌を美しくすることができる。
【００４１】
以上のとおり、本発明の美肌用具たる美肌ローラーは、少なくとも表面に石英片岩を配したローラー１と、前記ローラー１を回転可能に支持する支持部たる支持具２を備えたものであるので、常温においても高い効率で遠赤外線及びマイナスイオンを放出できる。そして、遠赤外線によれば、その加熱作用により、特に人体に対する温湿布効果が得られるので、人体各部の血行促進ひいては疲労回復を図ることができ、自律神経にも穏やかに作用し、ストレスの解消を図ることもできる。また、遠赤外線は、殺菌，防菌作用を有するので、肌を浄化することができる。一方、マイナスイオンによれば、その中和還元作用により、生理作用が快調となり、自然治癒力が高まって細胞が活性化することで、自律神経及び新陳代謝の活性化を図ることができる。また、マイナスイオンは耐菌，抗酸化作用を有するので、肌を清潔に美しく保つことができる。そして、遠赤外線とマイナスイオンの相乗効果により皮膚表面のツルツル感を改善し、肌を美しくすることができる。また、ローラーは、支持部により回転可能としたことから、肌の角度にローラーを自由に合わせることができ、効率良く遠赤外線とマイナスイオンによる効果を得ることができる。
【００４２】
また、前記石英片岩は、７５〜８５重量％のＳｉＯ２、７〜１２重量％のＡｌ２Ｏ３、０．９〜１．５重量％のＦｅ２Ｏ３を含有するので、常温で大量のマイナスイオン及び高強度の遠赤外線を放出し、顕著な美肌効果を得ることができる。
【００４３】
また、前記ローラー１は、石英片岩の破砕粉を焼結して成形したものであるので、石英片岩の表面積を大きくすることができ、遠赤外線の放射率及びマイナスイオンの放出率を飛躍的に大きくすることができる。
【００４４】
また、前記ローラー１は、石英片岩の破砕粉にバインダを添加し焼結して成形したものであるので、バインダが破砕粉を密着させる接着剤の役目を果たし、容易に加工することができる。
【００４５】
また、前記ローラー１は、焼結の際に釉薬を塗布したものであるので、釉薬が成型した破砕粉の形状を丈夫にする役目を果たし、丈夫で安定した品質が得られる。
【００４６】
さらに、本発明の遠赤外線放射体たるローラー１は、少なくとも表面に７５〜８５重量％のＳｉＯ２、７〜１２重量％のＡｌ２Ｏ３、０．９〜１．５重量％のＦｅ２Ｏ３を含有する石英片岩を配するとともに、この石英片岩の破砕粉にバインダを添加して釉薬を塗布し、焼結して成形したものであるので、常温で大量のマイナスイオン及び高強度の遠赤外線を放出する遠赤外線放射体を提供することができる。
【００４７】
以上、本発明の各実施例について説明したが、本発明は上述した実施例に限定されるものではなく、種々の変形実施を行うことができる。例えば、支持具の形状等については把持できるものであれば、どのような形状であっても構わない。また、本発明の遠赤外線放射体は美肌ローラーなどの美肌用具に限らず、種々の用途に用いることができる。
【００４８】
【発明の効果】
本発明の請求項１記載の美肌用具は、少なくとも表面に石英片岩を配したローラーと、前記ローラーを回転可能に支持する支持部を備えたものである。常温で大量のマイナスイオン及び高強度の遠赤外線を放出する石英片岩を配したローラーを肌に転がすことで、顕著な美肌効果を得ることができる。また、ローラーを肌の角度に自由に合わせることができるので、効率良く遠赤外線とマイナスイオンによる美肌効果を得ることができる。
【００４９】
また、請求項２記載の美肌用具は、前記石英片岩は、７５〜８５重量％のＳｉＯ２、７〜１２重量％のＡｌ２Ｏ３、０．９〜１．５重量％のＦｅ２Ｏ３を含有する。特にこの組成の石英片岩は、常温で大量のマイナスイオン及び高強度の遠赤外線を放出し、顕著な美肌効果を得ることができる。
【００５０】
また、請求項３記載の美肌用具は、前記ローラーは、石英片岩の破砕粉を焼結して成形したものである。石英片岩の表面積を大きくすることができ、遠赤外線の放射率及びマイナスイオンの放出率を飛躍的に大きくすることができる。
【００５１】
また、請求項４記載の美肌用具は、前記ローラーは、石英片岩の破砕粉にバインダを添加し焼結して成形したものである。バインダが破砕粉を密着させる接着剤の役目を果たし、容易に加工することができる。
【００５２】
また、請求項５記載の美肌用具は、前記ローラーは、焼結の際に釉薬を塗布したものである。釉薬が成型した破砕粉の形状を丈夫にする役目を果たし、安定した品質が得られる。
【００５３】
さらに、請求項６記載の遠赤外線放射体は、少なくとも表面に７５〜８５重量％のＳｉＯ２、７〜１２重量％のＡｌ２Ｏ３、０．９〜１．５重量％のＦｅ２Ｏ３を含有する石英片岩を配するとともに、この石英片岩の破砕粉にバインダを添加して釉薬を塗布し、焼結して成形したものである。常温で大量のマイナスイオン及び高強度の遠赤外線を放出する遠赤外線放射体を提供することができる。
【図面の簡単な説明】
【図１】本発明の遠赤外線放射体を構成する石英片岩の常温における赤外線放射率を示すグラフである。
【図２】本発明の遠赤外線放射体を構成する石英片岩の常温におけるマイナスイオンの発生量を示すグラフである。
【図３】本発明の第１実施例を示す美肌用ローラーの側面図である。
【図４】本発明の第２実施例を示す美肌用ローラーの側面図である。
【図５】本発明の第３実施例を示す美肌用ローラーの側面図である。
【図６】本発明の第４実施例を示す美肌用ローラーの側面図である。
【符号の説明】
１  ローラー（遠赤外線放射体）
２  支持具（支持部）
【図１】
2004173933.tif 000006
【図２】
2004173933.tif 000007
【図３】
2004173933.tif 000008
【図４】
2004173933.tif 000009
【図５】
2004173933.tif 000010
【図６】
2004173933.tif 000011